(57)【要約】【課題】対物レンズを備えた光ピックアップであって、前記光ディスクと前記光ピックアップが異常接近した場合であっても、対物レンズと光ディスクとの接触を抑制し、光ディスクに傷がついたり、対物レンズに不具合が発生したりするのを抑制する。【解決手段】２個の対物レンズ３８、４８と、２個の対物レンズ３８、４８が保持された対物レンズホルダと２４を有し、対物レンズホルダ２４に、弾性を有し光ディスクのラジアル方向に沿うように配置された支持軸２７１と、支持軸２７１の内径よりも大きな外形の貫通孔２７２１を有し、光ディスクメディアの硬さより低い硬さの材料で形成された球形状の緩衝部材２７２を備え、対物レンズホルダ２４が光ディスクに接近したときに、緩衝部材２７２が接触するとともに、光ディスクに追従して回転する緩衝装置２７を備えている。【選択図】図４
2008108376.tif 000002
【特許請求の範囲】
【請求項１】
赤外レーザ光を出射する赤外レーザ光源と、
赤色レーザ光を出射する赤色レーザ光源と、
青色レーザ光を出射する青色レーザ光源と、
前記赤外レーザ光又は前記赤色レーザ光を収束させ、ＣＤメディア又はＤＶＤメディアの記録面に照射する第１対物レンズと、
前記青色レーザ光を収束させ、ブルーレイディスクメディアの記録面に照射する第２対物レンズと、
前記第１対物レンズと前記第２対物レンズを保持するとともにトラッキング方向、フォーカス方向に移動可能な対物レンズホルダと、
前記対物レンズホルダを弾性支持するとともに前記対物レンズホルダを駆動するためのコイルに電力を供給する弾性支持部材とを備えた光ピックアップであって、
前記レンズホルダが回転中の前記ＣＤメディア、前記ＤＶＤメディア又は前記ＢＤメディアと接近したときに、前記第１対物レンズ及び前記第２対物レンズよりも先に前記ＣＤメディア、前記ＤＶＤメディア又は前記ＢＤメディアと接触し、前記ＣＤメディア、前記ＤＶＤメディア又は前記ＢＤメディアの回転に追従して回転する緩衝装置を有しており、
前記緩衝装置は、弾性を有する鋼線と、前記いずれのメディアよりも硬さの低い材料で球形状に形成され、前記鋼線が遊嵌する貫通孔が形成された緩衝部材とを有しており、
前記鋼線が前記メディアの径方向に沿うように配置され、該鋼線の両端部が前記対物レンズホルダに固定されていることを特徴とする光ピックアップ。
【請求項２】
対物レンズと、
前記対物レンズが保持された対物レンズホルダとを有し、光ディスクメディアにレーザ光を照射し反射光を受光する光ピックアップであって、
前記対物レンズホルダの上面には前記光ピックアップが回転中の前記光ディスクメディアに接近したときに、前記対物レンズよりも先に先端が該光ディスクメディアと接触し、該光ディスクメディアの回転に追従して回転する緩衝装置を有しており、
前記緩衝装置は弾性を有する支持軸と、前記支持軸が遊嵌する貫通孔が形成されているとともに、前記貫通孔を中心とする回転体形状の緩衝部材とを備えたことを特徴とする光ピックアップ。
【請求項３】
前記対物レンズホルダは、異なる開口数の対物レンズを複数個備えていることを特徴とする請求項２に記載の光ピックアップ。
【請求項４】
前記支持軸は鋼線であることを特徴とする請求項２又は請求項３に記載の光ピックアップ。
【請求項５】
前記緩衝部材は前記光ディスクメディアを構成する材料よりも硬さの低い材料で形成されていることを特徴とする請求項２から請求項４のいずれかに記載の光ピックアップ。
【請求項６】
前記緩衝部材は球形状を有していることを特徴とする請求項２から請求項５のいずれかに記載の光ピックアップ。
【請求項７】
前記対物レンズホルダが弾性支持部材にて支持されるとともに、前記弾性支持部材にて該対物レンズホルダを駆動するために備えられたトラッキングコイル及びフォーカスコイルに電力が供給されることを特徴とする請求項２から請求項６のいずれかに記載の光ピックアップ。
【請求項８】
前記対物レンズホルダが該対物レンズホルダを貫通する回転軸にて摺動可能且つ回動可能に支持されていることを特徴とする請求項２から請求項６のいずれかに記載の光ピックアップ。
【発明の詳細な説明】
【技術分野】
【０００１】
本発明は、情報の再生又は記録のために光ディスクにレーザ光を照射する光ピックアップに関し、特に、開口数の異なるレンズを備え、ＣＤ、ＤＶＤ、ＢＤの記録又は再生を行うための光ピックアップに関するものである。
【背景技術】
【０００２】
光ディスク装置では光ピックアップより記録媒体である光ディスクにレーザ光を照射することで、データの記録又は再生を行っている。前記光ディスク装置がＣＤ（Ｃｏｍｐａｃｔ  Ｄｉｓｃ）メディア、ＤＶＤ（Ｄｉｇｉｔａｌ  Ｖｅｒｓａｔｉｌｅ  Ｄｉｓｃ）メディアを再生することができるものの場合、前記光ピックアップにはＣＤ用の赤外レーザ（約７８０ｎｍ）、ＤＶＤ用の赤色レーザ（約６５０ｎｍ）を出射するレーザ光源が備えられている。
【０００３】
また、光ピックアップにはレーザ光を収束させレーザスポットとして、光ディスクの記録面に照射させる対物レンズが備えられている。レーザスポットの直径はレーザ光の波長に比例するものであり、れーざ光の波長によって開口数（ＮＡ）の異なる対物レンズを容易する必要がある。ＣＤメディアとＤＶＤメディアではトラックの幅が異なりレーザスポットの直径が異なるので異なる波長のレーザを用いており、異なるＮＡを有する対物レンズが必要である。しかし、対物レンズの形状を改めることで、ＣＤメディアとＤＶＤメディアの両方に対応する対物レンズを形成することが可能である。
【０００４】
また最近では、ＤＶＤよりも記憶容量の大きなＢＤ（Ｂｌｕ−Ｒａｙ  Ｄｉｓｃ）も登場してきている。ＢＤは記録密度がＤＶＤよりも高いのでのトラックの幅がＤＶＤのトラック幅に対し非常に小さく、それに合わせてレーザスポットも小径にする必要がある。そこで、ＢＤの記録、再生を行うために前記赤外レーザ、前記赤色レーザより短波長の青色レーザ（約４０５ｎｍ）を出射するレーザ光源が用いられている。
【０００５】
一方、前記ＣＤ、ＤＶＤ用の対物レンズではＮＡが小さくて、青色レーザを十分に収束させることができず、ＢＤの記録、再生を正確に行うことができない。また、ＢＤ用の対物レンズを用いても赤外レーザや赤色レーザをうまく収束させることができない。そこで、対物レンズを保持するレンズホルダに、ＣＤ／ＤＶＤ用の対物レンズとＢＤ用の対物レンズＮＡの異なる２個の対物レンズを配置するものが提案されている。
【０００６】
このように、異なるＮＡを有する対物レンズを２個備える光ピックアップを使用することで、異なるトラック幅を有する光ディスクの記録面に最適なレーザスポットを収束させることができ、記録、再生を精度よく行うことが可能である。
【０００７】
光ピックアップは光ディスクと接触しないように所定の間隔をあけてフォーカス動作時に光ディスクに接近離反する動作を繰り返す。しかしながら、対物レンズを保持するレンズホルダの傾き、前記光ディスクを載せるためのターンテーブルの傾き、光ディスクのひずみ、光ディスク装置に付与される衝撃・振動等によって、光ディスクと光ピックアップの一部とが接触し、光ディスクに傷がついてしまったり、対物レンズが破損又は変形してしまったりといった不具合が発生してしまうことがある。
【０００８】
また、上述のような部材の傾きや、衝撃・振動等がなくても、フォーカス引き込み時に光ピックアップが光ディスクに近づきすぎて、光ディスクと光ピックアップとが接触してしまうこともありえる。
【０００９】
そこで、特開２００６−４０４６３号公報に記載の光ピックアップは、移動動作可能な緩衝装置を、可動部（レンズホルダ）に設け、前記光ピックアップが前記光ディスクと接触する動作をした場合、該光ピックアップと前記緩衝装置とが接触することで、該光ピックアップと前記可動部の硬い部分とが接触するのを低減するものである。
【００１０】
さらに、前記特開２００６−４０４６３号公報に記載の光ピックアップは、前記緩衝装置が回転輪（ローラ）を回転可能に軸支されているものや、ボール玉を球面運動自在に支持されているものも例示されている。これにより、前記光ディスクと前記緩衝装置との
【００１１】
また、特開２００６−９９８１４号公報に記載の発明では、緩衝用塗膜が塗布（コーティング）された成型体を光ピックアップの可動部に取り付けられており、前記光ピックアップが前記光ディスクに接触してしまう場合であっても、最初に緩衝用塗膜が塗布された成型体が光ディスクに接触するので光ディスクが傷つくのを抑制することができる。
【００１２】
さらに、特開２００５−１２９１３４号公報に記載の発明では、光ディスクの硬さよりも低き硬さの材料から成る突起部を、光ピックアップ装置のアクチュエータ保護カバーに敷設しているものが示されている。この場合も、上記の発明の場合と同様に、光ピックアップが光ディスクに近づきすぎたときに、最初に前記突起部が当たることで、前記光ディスクに傷がつくのを低減している。
【特許文献１】特開２００６−４０４６３号公報
【特許文献２】特開２００６−９９８１４号公報
【特許文献３】特開２００５−１２９１３４号公報
【発明の開示】
【発明が解決しようとする課題】
【００１３】
しかしながら、特開２００６−４０４６３号公報に記載の光ピックアップでは、前記緩衝装置のローラ、ボール玉に光ディスクが接触したときに、前記光ディスク又は前記光ピックアップに付与される衝撃を高度に吸収することは難しい。
【００１４】
また、ローラを用いるものの場合、接触が必ずしもローラの外周部に均等に接触するとは限らず、先鋭部と接触することもありえる。この場合、ローラに緩衝作用のある材料を利用していたとしても、光ディスクに傷がつく可能性が高い。
【００１５】
さらに、ボール玉を用いるものの場合、該ボール玉に先鋭部がないので、光ディスクとの接触部は球面状の部分との接触になるので摩擦を効果的に減らすことができるが、磨耗等によって、前記ボール玉の形状の一部に平面部が形成されてしまうと、該ボール玉が回転できなくなり、摩擦低減効果が大きく阻害されてしまう。
【００１６】
また、特開２００６−９９８１４号公報では、設置当初は成型体に塗布された摩擦力を低減することが可能であるが、緩衝用塗膜が摩擦等で剥離してしまうと、前記成型体が露出してしまい、該成型体と光ディスクとが接触しやすく、該光ディスクに傷がついてしまいやすくなる。
【００１７】
さらに、特開２００５−１２９１３４号公報に記載の発明では、前記突起部は光ディスクの硬さよりも低い硬さの材料から成るものであるが、強く接触すると低い硬さのものが接触した場合でも、傷がつきやすい。また、接触することで摩擦が増え、低い硬さの前記突起部が磨耗してしまう。
【００１８】
そこで本発明は、上述した問題に鑑みてなされたものであり、ワーキングディスタンスが短い対物レンズを用いた光ピックアップであって、フォーカス引き込み等で光ピックアップが大きく移動し、光ディスクメディアと光ピックアップが異常接近した場合であっても、光ディスクが傷つくのを抑制することを目的とする。
【００１９】
そこで本発明は、上述した問題に鑑みてなされたものであり、ワーキングディスタンスが短い対物レンズを用いた光ピックアップであって、フォーカス引き込み等で光ピックアップが大きく移動し、光ディスクメディアと光ピックアップが異常接近した場合であっても、前記対物レンズが傷ついたり、ずれたり等の不具合が発生するのを抑制することを目的とする。
【課題を解決するための手段】
【００２０】
上記目的を達成するため本発明は、対物レンズと、前記対物レンズが保持された対物レンズホルダとを有し、光ディスクメディアにレーザ光を照射し反射光を受光する光ピックアップであって、前記対物レンズホルダの上面には前記光ピックアップが回転中の前記光ディスクメディアに接近したときに、前記対物レンズよりも先に先端が該光ディスクメディアと接触し、該光ディスクメディアの回転に追従して回転する緩衝装置を有しており、前記緩衝装置は弾性を有する支持軸と、前記支持軸が遊嵌する貫通孔を備え、該貫通孔を中心とする回転体形状を有する緩衝部材とを備えたことを特徴とする。
【００２１】
この構成によると、光ピックアップ（特に対物レンズが取り付けられた対物レンズホルダ）が光ディスクメディアに異常接近した場合に、まず緩衝装置と接触する。前記緩衝装置は光ディスクメディアと接触したときに、前記緩衝部材が前記支持軸周りに回転することで、光ディスクメディアとの摩擦を低減することができ、それだけ、光ディスクメディアに傷がつくのを抑制することができる。
【００２２】
また、さらに前記対物レンズホルダが移動した場合であっても、前記支持軸が弾性変形することで、前記緩衝部材の前記光ディスクメディアへの接触力を低減することができ、これにより、光ディスクメディアが傷つくのを抑制することができる。
【００２３】
また、対物レンズと光ディスクメディアとを接触しない構成としているので、該対物レンズと該光ディスクメディアとの接触による該対物レンズのずれ、破損等の不具合が発生するのを抑制することができ、それだけ、安定して動作することができる光ディスク装置を提供することができる。
【００２４】
上記構成において、前記対物レンズホルダは、異なる開口数の対物レンズを複数個備えているものであってもよい。
【００２５】
また、上記構成において前記支持軸は鋼線であってもよい。また、前記緩衝部材は前記光ディスクメディアよりも硬さの低い材料で形成されているものとすることができる。緩衝部材を構成する材料としては、例えば、シリコン樹脂、ナイロン、ゴム、ＰＯＭ（ポリアセタール樹脂）等の材料を挙げることができる。
【００２６】
前記緩衝部材を前記光ディスクメディアよりも硬さの低い材料（やわらかい材料）で形成することで、緩衝部材が削れることがあっても、光ディスクメディアが削れたり、傷ついたりするのを抑制することができる。
【００２７】
上記構成において、前記緩衝部材は球形状を有しているものとしてもよい。また、軸周りに回転させた回転体形状を広く採用することができる。
【００２８】
前記緩衝部材が球形状で形成されていることで、光ディスクメディアの下面と前記緩衝部材とが、略同じ形状で接触するので、光ディスクメディアへのダメージを低減することが可能である。
【００２９】
上記構成において、前記対物レンズホルダが弾性支持部材にて支持されるとともに、前記弾性支持部材にて該対物レンズホルダを駆動するために備えられたトラッキングコイル及びフォーカスコイルに電力が供給されるものであっても、対物レンズホルダを貫通する回転軸にて摺動可能且つ回動可能に支持されているものであってもよい。
【００３０】
以上説明した光ディスク装置のさらに詳細な例は以下のように説明できる。赤外レーザ光を出射する赤外レーザ光源と、赤色レーザ光を出射する赤色レーザ光源と、青色レーザ光を出射する青色レーザ光源と、前記赤外レーザ光又は前記赤色レーザ光を収束させ、ＣＤメディア又はＤＶＤメディアの記録面に照射する第１対物レンズと、前記青色レーザ光を収束させ、ブルーレイディスクメディアの記録面に照射する第２対物レンズと、前記第１対物レンズと前記第２対物レンズを保持するとともにトラッキング方向、フォーカス方向に移動可能な対物レンズホルダと、前記対物レンズホルダを弾性支持するとともに前記対物レンズホルダを駆動するためのコイルに電力を供給する弾性支持部材とを備えた光ピックアップであって、前記レンズホルダが回転中の前記ＣＤメディア、前記ＤＶＤメディア又は前記ＢＤメディアと接近したときに、前記第１対物レンズ及び前記第２対物レンズよりも先に前記ＣＤメディア、前記ＤＶＤメディア又は前記ＢＤメディアと接触し、前記ＣＤメディア、前記ＤＶＤメディア又は前記ＢＤメディアの回転に追従して回転する緩衝装置を有しており、前記緩衝装置は、弾性を有する鋼線と、前記いずれのメディアよりも硬さの低い材料で球形状に形成され、前記鋼線が遊嵌する貫通孔が形成された緩衝部材とを有しており、前記鋼線が前記メディアの径方向に沿うように配置され、該鋼線の両端部が前記対物レンズホルダに固定されている
【発明の効果】
【００３１】
本発明によると、上述した問題に鑑みてなされたものであり、ワーキングディスタンスが短い対物レンズを用いた光ピックアップであって、フォーカス引き込み等で光ピックアップが大きく移動し、光ディスクメディアと光ピックアップが異常接近した場合であっても、光ディスクが傷つくのを抑制することができる。
【００３２】
また本発明によると、上述した問題に鑑みてなされたものであり、ワーキングディスタンスが短い対物レンズを用いた光ピックアップであって、フォーカス引き込み等で光ピックアップが大きく移動し、光ディスクメディアと光ピックアップが異常接近した場合であっても、前記対物レンズが傷ついたり、ずれたり等の不具合が発生するのを抑制することができる。
【発明を実施するための最良の形態】
【００３３】
以下に本発明の実施形態を図面を参照して説明する。図１は本発明にかかる光ピックアップの一例の構成を示す配置図である。図１に示す光ピックアップＡは本体１と、対物レンズを駆動するアクチュエータ２とを備えている。図１に示す光ピックアップＡはＣＤメディア又はＤＶＤメディアの記録／再生を行うための第１光学系３と、ＢＤの記録／再生を行うための第２光学系４とを備えている。図１に示す光ピックアップでは、便宜上、赤外レーザの光路を一点鎖線で、赤色レーザの光路を実線で表示している。また、青色レーザの光路に関しても実線で表示している。ここで、ＣＤメディアとは、ＣＤ−ＲＯＭ、ＣＤ−Ｒ、ＣＤ−ＲＷ等を含み、ＤＶＤメディアとは、ＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭ等を含むものである。
【００３４】
第１光学系３は少なくとも、赤外レーザ光源３１と、赤色レーザ光源３２と、ダイクロイックプリズム３３と、偏光ビームスプリッタ３４と、コリメータレンズ３５と、立ち上げミラー３６と、１／４波長板３７と、第１対物レンズ３８と、センサレンズ３９と、受光素子Ｐｄ１とを備えている。
【００３５】
赤外レーザ光源３１は波長が約７８０ｎｍの赤外レーザ光を出射するものであり、ＣＤメディアの記録／再生に利用されるものである。赤色レーザ光源は波長が約６５０ｎｍの赤色レーザ光を出射するものであり、ＤＶＤメディアの記録／再生に利用されるものである。ダイクロイックプリズム３３は、赤外領域の波長の光を透過させ、赤色領域の波長の光を反射するプリズムである。すなわち赤外レーザ光源３１より出射されたレーザ光はダイクロイックプリズム３３を透過し、赤色レーザ光源３２はダイクロイックプリズム３３の反射面で反射してダイクロイックプリズム３３より出射される。本発明のダイクロイックプリズムは赤外レーザ光が透過し、赤色レーザ光が反射されるものを採用しているが、それに限定されるものではない。
【００３６】
偏光ビームスプリッタ３４は、入射されたレーザ光の偏光方向によって透過又は反射させるプリズムである。本発明では、赤外レーザ光源３１及び赤色レーザ光源３２より出射され、偏光ビームスプリッタ３４に入射したレーザ光は透過し、ＣＤメディア又はＤＶＤメディアの記録面で反射したレーザ光は偏光ビームスプリッタ３４で反射される。コリメータレンズ３５は、点光源である赤外レーザ光源３１又は赤色レーザ光源３２より出射された拡散光であるレーザ光を平行光に変換する。コリメータレンズ３５より出射されたレーザ光は立ち上げミラー３６にて直交する方向に反射される。これにより、レーザ光の光路はＣＤメディア又はＤＶＤメディアの記録層に直交する方向に変更される。
【００３７】
１／４波長板３７は入射する直線偏光の光を円偏光に、円偏光の光を直線偏光に変換するものである。第１対物レンズ３８は、非球面レンズが採用されている。第１対物レンズ３８は赤外レーザ光を収束させレーザスポットとしてＣＤメディアの記録面に、赤色レーザ光を収束させレーザスポットとしてＤＶＤメディアの記録面に照射させることができる。
【００３８】
ＣＤメディア又はＤＶＤメディアの記録面で反射されたレーザ光は再度１／４波長板３７に入射する。このとき、反射されたレーザ光は円偏光から直線偏光に変換される。この直線偏光に変換されたレーザ光の偏光方向は、赤外レーザ光源又は赤色レーザ光源より出射されたレーザ光の偏光方向に対して直交する。これにより、偏光ビームスプリッタ３４ではレーザ光は透過せずに反射され、センサレンズ３９を介して受光素子Ｐｄ１に入射する。受光素子Ｐｄ１では、入射したレーザ光を電気信号に変換し、出力信号として記録／再生に利用する。
【００３９】
第２光学系４は少なくとも、青色レーザ光源４１と、偏光ビームスプリッタ４４と、コリメータレンズ４５と、立ち上げミラー４６と、１／４波長板４７と、第２対物レンズ４８と、センサレンズ４９と、受光素子Ｐｄ２とを備えている。第２光学系４は、レーザ光源として波長が約４０５ｎｍの青色レーザ光を出射する青色レーザ光源４１、対物レンズとして第２対物レンズ４８を備えており、ダイクロイックプリズム３３を備えていない点が異なるが、それ以外は第１光学系３と実質上同じ部材を備えており、詳細は省略する。
【００４０】
上述した光学部材のうち第１光学系３の第１対物レンズ３８と第２光学系４の第２対物レンズ４８とはアクチュエータ２に配置される。アクチュエータ２は本体１に取り付けられている。
【００４１】
図２は本発明にかかる光ピックアップに備えられたアクチュエータの一例の平面図であり、図３は図２に示すアクチュエータの正面図であり、図４は図２に示すアクチュエータに用いられる対物レンズホルダの拡大斜視図である。アクチュエータ２はアクチュエータベース２１と、永久磁石２２と、支持部材２３と、第１対物レンズ３８及び第２対物レンズ４８を保持する対物レンズホルダ２４と、電力基板２５と、ワイヤばね２６と、緩衝装置２７とを有している。図中Ｔａは光ディスクメディア（ＣＤメディア、ＤＶＤメディア、ＢＤメディア）のタンジェンシャル方向（周方向）、Ｒａはラジアル方向（径方向）である。図２、図４に示すように、光ピックアップＡでは、第１対物レンズ３８と第２対物レンズ４８はＴａ方向に並んで配置される。
【００４２】
アクチュエータベース２１は金属板の打ち抜き、切り曲げによって形成されるものである。アクチュエータベース２１には、赤外レーザ光又は赤色レーザ光が通過する第１貫通孔２１１と、青色レーザ光が通過する第２貫通孔２１２と、永久磁石２２を保持するとともに、バックヨークとして作用する磁石保持部２１３とを備えている。永久磁石２２は対物レンズホルダ２４に磁界を作用させるものであり、それには限定されないがネオジウム磁石が採用されている。支持部材２３は樹脂製であり、アクチュエータベース２１に図示を省略したボルトを用いて強固に固定されている。また、ボルトに限定されるものではなく、はめ込み、溶着、接着等、アクチュエータベース２１から脱落しないように固定するものを広く採用することができる。
【００４３】
対物レンズホルダ２４は、下面から上面に貫通し、上面端部側に第１対物レンズ３８が取り付けられた第１対物レンズ取付孔２４１と、下面から上面に貫通し、上面端部側に第２対物レンズ４８が取り付けられた第２対物レンズ取付孔２４２と、対物レンズホルダ２４を光軸方向に摺動させるためのフォーカスコイル２４３と、対物レンズホルダ２４を光ディスクの径方向に摺動させるためのトラッキングコイル２４４と、フォーカスコイル２４３、トラッキングコイル２４４に電力を供給するための接続端子２４５を有している。
【００４４】
電力基板２５はここでは屈曲性を有するＦＰＣ（Flexible Print Circuit）が採用されており、支持部材２３の約半分を覆うように接着されている。電力基板２５としてＦＰＣに限定されるものではなく、支持部材２３に安定して取り付けられるものを広く採用することができる。電力基板２５には電力を供給するための端子部２５１を備えている。
【００４５】
対物レンズホルダ２４はワイヤばね２６を介して、底部がアクチュエータベース２１と接触しないように支持部材２３に支持されている。ワイヤばね２６は導電性を有する弾性部材であり、対物レンズホルダ２４の接続端子２４５と接触するように取り付けられている。また、支持部材２３に取り付けられた電力基板２５の端子部２５１と接触している。このように、ワイヤばね２６を介して、端子部２５１と接続端子２４５が電気的に接続されており、電力基板２５よりワイヤばね２６を介して、フォーカスコイル２４３、トラッキングコイル２４４に電力を供給する。
【００４６】
対物レンズホルダ２４は、ＣＤメディア又はＤＶＤメディアの記録／再生用の第１対物レンズ３８とＢＤメディアの記録／再生用の第２対物レンズ４８とが取り付けられている。第２対物レンズ４８は第１対物レンズ３８に比べて開口数（ＮＡ）の大きなもの（ＮＡ＝０．８５）が採用されており、焦点距離（ワーキングディスタンス）が短い。そのため、第１対物レンズ３８の取り付け位置が第２対物レンズ４８の取り付け位置よりも光ディスクから遠くなるように、第１レンズ取付孔２４１及び第２レンズ取付孔２４２が形成されている。
【００４７】
第１レンズ取付孔２４１は第１対物レンズ３８を内挿することができるように形成されている。第１レンズ取付孔２４１に第１対物レンズ３８を係合させて、接着剤にて接着する。このとき、図示は省略しているが第１取付孔２４１の上端部には接着剤を注入するための注入凹部が形成されており、この注入凹部に接着剤を注入することで第１対物レンズ３８の側周部と第１レンズ取付孔２４１とを接着にて固定する。接着剤としては、第１対物レンズ３８を第１レンズ取付孔２４１に強固に取り付けることができるとともに、硬化条件（熱等）や硬化時の収縮による応力によって、第１対物レンズ３８の変形、破損等の不具合が発生しにくいものが好ましい。それには限定されないが、ここでは、紫外線硬化型の接着剤が採用されている。また、第２対物レンズ４８も第１対物レンズ３８と同様の方法で第２対物レンズ取付孔２４２に固定される。
【００４８】
ここで、第１対物レンズ３８の傾き（チルト量）と、第２対物レンズ４８のチルト量とは同じになるように調整される。これにより、対物レンズホルダ２４を取り付けたアクチュエータ２を光ピックアップＡの本体１に取り付けるときに、第２対物レンズ４８の光軸がＢＤメディアの記録面に直交するように取り付けることで、第１対物レンズ３８の光軸もＣＤメディア又はＤＶＤメディアの記録面と直交する。これにより、第１対物レンズ３８のチルト量のずれによるコマ収差の発生を低減することができる。
【００４９】
第１対物レンズ３８のチルト量を調整するときには、第１対物レンズ３８及び第２対物レンズ４８にオートコリメータにより調整用の光を照射し、コバ面からの反射光を受光することで行うものを採用することができる。また、上述とは逆に、第１対物レンズ３８の光軸にあわせて、第２対物レンズ４８の光軸を合わせるようにしてもよい。さらには、第１対物レンズ３８の光軸に合わせて第２対物レンズ４８の光軸を調整した後に、第２対物レンズ４８の光軸に合わせて、第１対物レンズ３８の光軸を再度調整しなおすようにしてもよい。
【００５０】
図５は本発明にかかる光ピックアップに備えられた緩衝装置の縦断面図であり、図６は図５に示す緩衝装置を直行する面で切断したときの断面図である。図５、図６はそれぞれ、緩衝装置２７を拡大した図である。
【００５１】
緩衝装置２７は、支持軸２７１と、緩衝部材２７２とを有している。支持軸２７１は、弾性変形可能な円柱形状を有する部材でありそれには限定されないが、ここでは、鋼製のワイヤである。鋼製のワイヤ以外にも、弾性を有するとともに、緩衝部材２７２を確実に支持することができる強度を有するもの、例えば、銅線等であってもよい。緩衝部材２７２は球形状を有する部材であり、中心を通る貫通孔２７２１が形成されている。貫通孔２７２１の内径は、支持軸２７１の外形よりも大きく形成されている。
【００５２】
図５に示すように、支持軸２７１は緩衝部材２７２の貫通孔２７２１に挿通されている。支持軸２７１の外径は貫通孔２７２１の内径よりも小さいので、緩衝部材２７２は支持軸２７１の周りに回転可能に支持されている。緩衝部材２７２はＣＤメディア、ＤＶＤメディア及びＢＤメディア（特に各メディアの基材層）よりも硬さの低い材料で形成されている。緩衝部材を構成する材料としては、例えば、シリコン樹脂、ナイロン、ゴム、ＰＯＭ（ポリアセタール樹脂）等の材料を挙げることができる。
【００５３】
対物レンズホルダ２４には、上面に凹孔２４６が形成されている。図５、図６に示すように緩衝装置２７は緩衝部材２７２が凹孔２４６に非接触で配置されているとともに、緩衝部材２７２の上部が対物レンズホルダ２４の上面より突出するように配置されている。緩衝装置２７の取付は、支持軸２７１の両端部２７１ｓが、凹孔２４６の内壁部に固定されている。固定方法は、それには限定されないがここでは、接着剤による接着固定が採用されている。支持軸２７１の端部２７１ｓが対物レンズホルダ２４に固定されているとともに、緩衝部材２７２が支持軸２７１に遊嵌されているので、緩衝部材２７２は支持軸２７１にて、支持軸２７１回りに回転自在に支持される。支持軸２７１はＲａ方向に配設されており、緩衝部材２７２はＴａ方向に回転する。
【００５４】
光ピックアップ１では、レーザ光の照射像を光ディスクメディアの記録面に作成するときに、第１対物レンズ３８、第２対物レンズ４８が取り付けられている対物レンズホルダ２４を、光ディスクメディアに向けて、大きく移動させる、いわゆる、フォーカス引き込み動作が行われる。
【００５５】
上述したように、第２対物レンズ４８は第１対物レンズ３８に比べて、開口数が大きく、焦点距離が短い。焦点距離が短い場合、対物レンズホルダ２４の動作可能な距離（ワーキングディスタンス）も短くなる。ＢＤメディアに対してフォーカス引き込み動作を行うとき、ワーキングディスタンスが短いので、対物レンズホルダ２４とＢＤメディアとが接触しやすくなる。
【００５６】
図５に示すように、対物レンズホルダ２４がＢＤメディアに近接したとき、緩衝部材２７２はＢＤメディアの基材層（図中下面）と接触する。緩衝部材２７２はＢＤメディアの基材層よりも硬さの低い材料で形成されているので、ＢＤメディアの基材層に傷がつくのを抑制している。また、緩衝部材２７２が支持軸２７１に回動可能に支持されているので、緩衝部材２７２はＢＤメディアの回転に追従して回転する（図６参照）ので、ＢＤメディアの基材層と緩衝部材２７２の磨耗を低減することができ、ＢＤメディアに傷がつくのを抑制することができる。
【００５７】
また、フォーカス引き込みは、フォーカスエラー信号を検出しつつ対物レンズホルダ２４を駆動するので、対物レンズホルダ２４がＢＤメディアに接触した場合、対物レンズホルダ２４を離反するように駆動するものがほとんどであるが、光ピックアップＡの光学部品の不良によって、正確なフォーカスエラー信号が得られない場合、対物レンズホルダ２４がＢＤメディアに接触した後にさらに強く押し付けるように駆動される場合もある。
【００５８】
図５に示すように対物レンズホルダ２４が、緩衝部材２７２とＢＤメディアとが接触した位置よりも、さらにＢＤメディアに近づいた場合、支持軸２７１が弾性変形し、緩衝部材２７２が凹孔２４６の奥（図中下方）に移動することで、ＢＤメディアと緩衝部材２７２との接触力が大きくなるのを抑制している。このように、支持軸２７１が弾性変形し、接触力を低減することで、摩擦力を低減することができ、ＢＤメディアに傷がつくのを抑制することができるとともに、緩衝部材２７２の磨耗を抑制することができる。
【００５９】
図５、図６に示すように、凹孔２４６の深さＤは、それには限定されないが、ここでは、緩衝部材２７２の半径Ｒよりも大きくなるように形成されている。
【００６０】
図７は本発明にかかる光ピックアップに備えられた緩衝装置の縦断面図であり、図８は図７に示す緩衝装置を直行する面で切断したときの断面図である。図７、図８はそれぞれ、緩衝装置２８を拡大した図である。緩衝装置２８は、支持軸２８１と、円柱状の緩衝部材２８２を備えているものである。緩衝部材２８２の中心には、支持軸２８１が貫通する貫通孔２８２１が形成されている。緩衝部材２８２が円柱状に形成されていることで、緩衝部材２８２の形状が球形状に比べて簡単であり、それだけ、製造にかかる時間、手間を低減することができる。緩衝装置２８は緩衝装置２７と同様に、支持軸２８１の両端部２８１ｓが対物レンズホルダ２４に固定されている。
【００６１】
図９は本発明にかかる光ピックアップに備えられた緩衝装置の縦断面図であり、図１０は図９に示す緩衝装置を直行する面で切断したときの断面図である。図９、図２０はそれぞれ、緩衝装置２９を拡大した図である。図９、図１０に示す緩衝装置２９は支持軸２９１、緩衝部材２９２及び対物レンズホルダ２４の上面より一体的に突出するブラケット２９３が備えられているものである。このように、ブラケット２９３を対物レンズホルダ２４に形成しておき、このブラケット２９３に支持軸２９１の端部２９１ｓを固定するようにしたものの場合、緩衝装置２９の取り付け、取り外しが容易であり、それだけ、光ピックアップ１の組み立てやメンテナンスを容易に行うことができる。ブラケット２９３は対物レンズホルダ２４と一体に形成されているものを例示しているが、それに限定されるものではなく、対物レンズホルダ２４と別体で形成されていてもよい。
【００６２】
図１１は本発明にかかる光ピックアップに用いられるアクチュエータの他の例の平面図であり、図１２は図１１に示すアクチュエータの断面図であり、図１３は図１１に示すアクチュエータに用いられる対物レンズホルダの斜視図である。図１１及び図１２に示すアクチュエータ７は、アクチュエータベース７１に取り付けられたシャフト７３に摺動可能且つ回動可能に取り付けられている。
【００６３】
図１１、図１２に示すアクチュエータ７は、アクチュエータベース７１と、永久磁石７２と、シャフト７３と、第１対物レンズ３８及び第２対物レンズ４８を保持する対物レンズホルダ７４と、トラッキングコイル７５と、フォーカスコイル７６と、緩衝装置７７を有している。図中Ｔａは光ディスクメディア（ＣＤメディア、ＤＶＤメディア、ＢＤメディア）のタンジェンシャル方向（径方向であり、Ｒａはラジアル方向（周方向）である。図１１、図１３に示すように、アクチュエータ７では、第１対物レンズ３８及び第２対物レンズ４８はＴａ方向に並んで配置されている。
【００６４】
アクチュエータベース７１は平面視矩形状を有しており、底部７１１と、底部７１１の周囲から底部７１１と垂直に立ち上がる立ち上がり部７１２とを有している。底部７１１の略中央部には立ち上がり部７１２と同じ方向に突出する円筒形状のシャフト７３が立設されている。立ち上がり部７１２には、シャフト７１３を挟んで対向して配置される２個の永久磁石７２とを有している（永久磁石は２個に限定されるものではない）。
【００６５】
図１２に示すように対物レンズホルダ７４は、第１対物レンズ３８が取り付けられる第１対物レンズ取付孔７４１と、第２対物レンズ４８が取り付けられる第２対物レンズ取付孔７４２と、本体の略中央を貫通し、シャフト７３が内部を貫通する軸孔７４３と、軸孔７４３を囲むように配置されるフォーカスコイル７６と、側面に軸孔７４３を挟んで対面して配置されるトラッキングコイル７５と、フォーカスコイル７６の下面に配置される磁性板（不図示）とを有している。緩衝装置７７として、図５、図６に示す緩衝装置２７と同じものを備えているが、それに限定されるものではなく、図７、図８に示す緩衝装置２８、図９、図１０に示す緩衝装置２９と同じものを備えていてもよい。
【００６６】
上述の各実施例では、便宜上、対物レンズホルダに緩衝装置が１個備えられているものを例に説明しているが、それに限定されるものではなく、複数個の緩衝装置が備えられているものであってもよい。この場合も、緩衝装置の支持軸は光ディスクメディアのＲａ方向に配置されるものである。また、緩衝装置の取付位置は、例えば光ピックアップや対物レンズホルダの取り付け状態に応じて、もっとも光ディスクに近い場所に取り付けられるものが好ましい。
【００６７】
上述の各実施例では、ＣＤメディア及び（又は）ＤＶＤメディアの記録／再生を行う第１光学系と、ＢＤメディアの記録／再生を行う第２光学系とが互いに独立して形成されているものを示しているが、それに限定されるものではなく、一部（たとえば偏光ビームスプリッタから１／４波長板まで）を共用するように構成してもよい。この場合、１／４波長板を通過したレーザ光を分光し、赤外レーザ光、赤色レーザ光は第１対物レンズに、青色レーザ光は第２対物レンズに入射させる部材が必要であるが、共用化により、光ピックアップを小型化することができるとともに、部材点数を減らすことができ、組み立て及び調整に要する手間と時間を減らすことができ、製造コストを低減することが可能である。
【００６８】
以上、発明の実施形態を具体的に説明したが、本発明は上記実施形態に限定するものではなく、その要旨を逸脱しない範囲で種々変更可能である。各実施形態に記載した特徴のうち複数を備えていてもよい。
【産業上の利用可能性】
【００６９】
本発明は、ＤＶＤ、ＣＤ、ＢＤ等の光ディスクを記録媒体とする光ディスク装置において適用することができる。
【図面の簡単な説明】
【００７０】
【図１】本発明にかかる光ピックアップの一例の構成を示す配置図である。
【図２】本発明にかかる光ピックアップに備えられたアクチュエータの一例の平面図である。
【図３】図２に示すアクチュエータの正面図である。
【図４】図２に示すアクチュエータに用いられる対物レンズホルダの拡大斜視図である。
【図５】対物レンズホルダに用いられる緩衝装置の一例の縦断面図である。
【図６】図５に示す緩衝装置の側断面図である。
【図７】対物レンズホルダに用いられる緩衝装置の他の例の縦断面図である。
【図８】図７に示す緩衝装置の側断面図である。
【図９】対物レンズホルダに用いられる緩衝装置のさらに他の例の縦断面図である。
【図１０】図９に示す緩衝装置の側断面図である。
【図１１】本発明にかかる光ピックアップに用いられるアクチュエータの他の例の平面図である。
【図１２】図１１に示すアクチュエータの断面図である。
【図１３】図１１に示すアクチュエータに用いられる対物レンズホルダの斜視図である。
【符号の説明】
【００７１】
Ａ  光ピックアップ
１  本体
２  アクチュエータ
２１  アクチュエータベース
２２  永久磁石
２３  支持部材
２４  対物レンズホルダ
２４１  第１対物レンズ取付孔
２４２  第２対物レンズ取付孔
２４３  フォーカスコイル
２４４  トラッキングコイル
２４５  接続端子
２４６  凹孔
２５  電力基板
２６  ワイヤばね
２７  緩衝装置
２７１  支持軸
２７２  緩衝部材
２８  緩衝装置
２８１  支持軸
２８２  緩衝部材
２９  緩衝装置
２９１  支持軸
２９２  緩衝部材
２９３  ブラケット
３  第１光学系
３１  赤外レーザ光源
３２  赤色レーザ光源
３３  ダイクロイックプリズム
３４  偏光ビームスプリッタ
３５  コリメータレンズ
３６  立ち上げミラー
３７  １／４波長板
３８  第１対物レンズ
３９  センサレンズ
４  第２光学系
４１  青色レーザ光源
４４  偏光ビームスプリッタ
４５  コリメータレンズ
４６  立ち上げミラー
４７  １／４波長板
４８  第２対物レンズ
４９  センサレンズ
７  アクチュエータ
７１  アクチュエータベース
７２  永久磁石
７３  シャフト
７４  レンズホルダ
７４１  第１対物レンズ取付孔
７４２  第２対物レンズ取付孔
７４３  軸孔
７５  トラッキングコイル
７６  フォーカスコイル
【図１】
2008108376.tif 000003
【図２】
2008108376.tif 000004
【図３】
2008108376.tif 000005
【図４】
2008108376.tif 000006
【図５】
2008108376.tif 000007
【図６】
2008108376.tif 000008
【図７】
2008108376.tif 000009
【図８】
2008108376.tif 000010
【図９】
2008108376.tif 000011
【図１０】
2008108376.tif 000012
【図１１】
2008108376.tif 000013
【図１２】
2008108376.tif 000014
【図１３】
2008108376.tif 000015